(57)【要約】本発明は指紋センサー上で指をスライドさせるスライド型の指紋読取装置に係り、指の第一関節部を前記指紋センサーの中央位置に位置決めさせる位置決め装置が、押下されていない状態では前記指紋センサーを前記指が走査する走査面から突出した位置に保持し、押下された際に前記指紋センサーの移動を許容するセンサー可動機構を有する。
2010086970.tif 000002
【特許請求の範囲】
【請求項１】
スライド型の指紋センサーと、
指の第一関節部を前記指紋センサーの中央位置に位置決めさせる位置決め構造とを有する指紋読取装置であって、
前記位置決め構造は、
押下されていない状態では前記指紋センサーを前記指が走査する走査面から突出した位置に保持し、押下された際に前記指紋センサーの移動を許容するセンサー可動機構を有する指紋読取装置。
【請求項２】
スライド型の指紋センサーと、
指の第一関節部を前記指紋センサーの中央位置に位置決めさせる位置決め構造とを有する指紋読取装置であって、
前記位置決め構造は、
前記指紋センサーの配設位置に対し指走査方向の前方位置に配設された前方指走査面と、前記指紋センサーの配設位置に対し前記指走査方向の後方位置に配設された後方指走査面とにより構成され、前記指が走査する走査面と、
押下されていない状態では、前記指紋センサーを前記後方指走査面から突出した位置に保持し、押下された際に前記指紋センサーの移動を許容するセンサー可動機構と、
押下されていない状態では、前記前方指走査面を前記後方指走査面から突出した位置に保持し、押下された際に前記前方指走査面の移動を許容する指走査面可動機構とを有する指紋読取装置。
【請求項３】
スライド型の指紋センサーと、
指の第一関節部を前記指紋センサーの中央位置に位置決めさせる位置決め構造とを有する指紋読取装置であって、
前記位置決め構造は、
前記指紋センサーの配設位置に対し指走査方向の前方位置に配設された前方指走査面と、前記指紋センサーの配設位置に対し前記指走査方向の後方位置に配設された後方指走査面とにより構成され、前記指が走査する走査面と、
押下されていない状態では前記指紋センサーを前記前方指走査面から突出した位置に保持し、押下された際に前記指紋センサーの移動を許容するセンサー可動機構と、
押下されていない状態では、前記後方指走査面を前記前方指走査面から突出した位置に保持し、押下された際に前記後方指走査面の移動を許容する指走査面可動機構とを有する指紋読取装置。
【請求項４】
請求項１乃至４のいずれか一項に記載の指紋読取装置と、
前記指紋読取装置の指紋センサーにより読み取られたデータを処理する処理部と、を備えた電子装置。
【発明の詳細な説明】
【技術分野】
【０００１】
本発明は指紋読取装置及び電子装置に関するものである。
【背景技術】
【０００２】
近年、ＰＣ（Personal Computer）やＰＤＡ（Personal Digital Assistants），携帯電話等の情報処理装置分野において、小型で安価な装置実現を可能にするスライド型或いはスウィープ型（以下スライド型）指紋センサーを備えた指紋読取装置が普及しつつある。【０００３】
図１Ａ〜図１Ｃは、このようなスライド型指紋読取装置における指紋の読取範囲及び読取方法を説明するための図である。スライド型指紋読取装置においては、通常指Ｆの第一関節Ｊ１より先の部分（図中、矢印Ｌで示す部分）が読取範囲となるため、走査する指Ｆの第一関節部Ｊ１を指紋センサー１の中央部近傍に来るように指を走査面に正しく置く必要がある（図１Ｂ及び図１Ｃ参照）。【０００４】
図２Ａに示すように、指Ｆの中心が指紋センサー１の中心位置Ｏを通るように矢印Ｘ方向に走査された場合、確実に指紋ＦＰの読み取りを行うことができる。しかしながら、指紋の読み取り時には指紋センサー１は指Ｆに隠れてうまく第１関節Ｊ１を指紋センサー１に合わせることが困難である。【０００５】
よって、指紋センサー１の中心位置Ｏに位置するように第１関節Ｊ１を正しく位置決めすることができず、例えば図２Ｂに示すように第１関節Ｊ１の位置が指紋センサー１の中心位置Ｏに対して左右にずれたり、また図２Ｃに示すように第１関節Ｊ１の位置が指紋センサー１の中心位置Ｏよりも下になったりしてしまう。このような場合、読み取るべき範囲の画像が欠落して十分な画像が得られず、認証に失敗するという問題がある。【０００６】
このような問題を解決する方法として、指紋センサーが指に隠れないように、指紋センサーの真上より若干左右にずれた位置から指紋センサー近傍位置を目視し、指の第一関節部が指紋センサーの中央部に位置するよう指を置く方法が考えられる。しかしながら、この方法では、毎回指紋走査のために窮屈な姿勢を強いられるという問題が生じる。【０００７】
上記の問題を解決する方法として、特許文献１には、ガイド部を互いに略平行に並んだ１対の突条とし、このガイド部としての各突条を指の移動方向に延在するようにした構成が開示されている。更に、指紋を読み取る透明部材のすぐ後方に、ローラ及び指の移動方向(前後)に沿って指幅よりやや狭い突起状の2本のガイド部を設けることが記載されている。【０００８】
また特許文献２には、指紋センサーより少し離れた指紋走査方向前方に、被験者の指Ｆの有無を検知するスイッチを有する構成が開示されている。このスイッチは、第一関節より上の指の腹で押下する構成とされている。【０００９】
更に、特許文献３には、Ｖ字型溝の両側に一対のケースパッドを備え、これらケースパッドに指紋検出時の指の位置の指標としての役割を担わせ、スイープ型指紋センサーにより指紋を検出させようとするときは、指の先端に最も近い第１関節が、２つのケースパッド同士を結ぶ直線上に位置するように指をあてがうことが開示されている。
【特許文献１】特開２００４―２４０９２４号公報
【特許文献２】特開２００４―２７２７４５号公報
【特許文献３】特開２００５―２５９１５０号公報
【発明の開示】
【発明が解決しようとする課題】
【００１０】
上記の特許文献１に開示された方法では、指幅よりやや狭い突起状の２本のガイド部に指の腹部を均等に置くようにすることにより、指紋センサーの指走査方向に対して垂直方向中央部への最初の指置き位置への誘導はある程度可能になると思われる。しかしながら、指紋センサーの指走査方向に対しては、指紋センサー中央部近傍に指の第一関節部を正しく置くことができない。【００１１】
また、特許文献２に開示された方法では、第一関節より上の指の腹で押下する形となり、指の背側だけから見て腹の中心で押せるとは限らない。このため、十分な指紋画像が得られず、認証に失敗するおそれがある。【００１２】
更に、特許文献３に開示された方法では、指を背側から見た場合、第一関節の位置は容易に判別できず、やはり十分な指紋画像が得られず正確な認証をないおそれがある。
【課題を解決するための手段】
【００１３】
本発明は、上述した従来技術の問題を解決する、改良された有用な指紋読取装置及び電子装置を提供することを総括的な目的とする。【００１４】
本発明のより詳細な目的は、窮屈な姿勢を強いられることなく指を適正読み取り位置に位置決めでき、正確な指紋認証を行いうる指紋読取装置及び電子装置を提供することにある。【００１５】
この目的は、スライド型の指紋センサーと、指の第一関節部を前記指紋センサーの中央位置に位置決めさせる位置決め構造とを有する指紋読取装置であって、前記位置決め構造は、押下を行っていない状態では、前記指紋センサーを前記指が走査する走査面から突出した位置に保持し、押下により前記指紋センサーを前記走査面まで移動させる可動機構を有する指紋読取装置、及びこれを用いた電子装置により解決することができる。
【発明の効果】
【００１６】
上記の指紋読取装置によれば、指紋センサーに対して適性位置に指を正しく位置決めすることができ、認証精度の向上を図ることができる。
【図面の簡単な説明】
【００１７】
【図１Ａ】指紋読取を行う範囲を説明するための図である。
【図１Ｂ】指紋読取時における指の走査方法を説明するための図である（その１）。
【図１Ｃ】指紋読取時における指の走査方法を説明するための図である（その２）。
【図２Ａ】指紋センサーの位置と指の置き方を説明するための図である（適正時）。
【図２Ｂ】指紋センサーの位置と指の置き方を説明するための図である（不適正時その１）。
【図２Ｃ】指紋センサーの位置と指の置き方を説明するための図である（不適正時その２）。
【図３】第１実施例である指紋読取装置が設けられたパーソナルコンピュータを示す斜視図である。
【図４】指紋読取中における、図３に矢印Ｘで示す部分を拡大して示す図である。
【図５】指紋読取後における、図３に矢印Ｘで示す部分を拡大して示す図である。
【図６】本発明の第１実施例である指紋読取装置を示す平面図である。
【図７】本発明の第１実施例である指紋読取装置を示しており、指を走査させる前の状態を示す断面図である。
【図８】本発明の第１実施例である指紋読取装置を示しており、指の走査中である状態を示す断面図である（その１）。
【図９】本発明の第１実施例である指紋読取装置を示しており、指の走査中である状態を示す断面図である（その２）。
【図１０】本発明の第２実施例である指紋読取装置を示す平面図である。
【図１１】本発明の第２実施例である指紋読取装置を示しており、指を走査させる前の状態を示す断面図である。
【図１２】本発明の第２実施例である指紋読取装置を示しており、指の走査中である状態を示す断面図である（その１）。
【図１３】本発明の第２実施例である指紋読取装置を示しており、指の走査中である状態を示す断面図である（その２）。
【図１４】本発明の第３実施例である指紋読取装置を示す平面図である。
【図１５】本発明の第３実施例である指紋読取装置を示しており、指を走査させる前の状態を示す断面図である。
【図１６】本発明の第３実施例である指紋読取装置を示しており、指の走査中である状態を示す断面図である（その１）。
【図１７】本発明の第３実施例である指紋読取装置を示しており、指の走査中である状態を示す断面図である（その２）。
【符号の説明】
【００１８】
１  指紋センサー
２  前方指走査面
３  後方指走査面
４，５  ガイド側壁
７〜９  バネ
３２  可動前方指走査面
３３  可動後方指走査面
１１０Ａ〜１１０Ｃ  指紋読取装置
Ｆ  指
ＦＰ  指紋
Ｊ１  第１関節
【発明を実施するための最良の形態】
【００１９】
以下、本発明の実施形態について図面を参照しつつ説明する。
【第１実施例】
【００２０】
図３〜図５は、本発明の第１実施例である指紋読取装置１１０Ａの適用例を示している。本実施例では、指紋読取装置１１０Ａを電子装置の一例であるパーソナルコンピュータ１００に搭載した例を示している。パーソナルコンピュータ１００は、図３に示すようにキーボード１０４及びフラットポイント１０５等を有した本体部１０１と、液晶ディスプレイ１０３等を搭載した蓋体部１０２とを有している。
【００２１】
指紋読取装置１１０Ａは、フラットポイント１０５の近傍位置に配設されている。この指紋読取装置１１０Ａは指Ｆの指紋ＦＰを読み取る装置である。パーソナルコンピュータ１００は、ＣＰＵ等の処理部と、プログラムやデータを格納する記憶部などのハードウェアを備える。パーソナルコンピュータ１００の処理部は、記憶部に格納されているプログラムにより、指紋読取装置１１０Ａにより読み取られた指紋ＦＰのデータと記憶部に予め保持されているデータとの照合を行う。そして、処理部は、照合結果に応じてパーソナルコンピュータ１００の使用可否を制御する。これにより予め指紋登録した人のみがパーソナルコンピュータ１００を使用する構成とすることができ、セキュリティの向上を図ることができる。
【００２２】
本実施例に係る指紋読取装置１１０Ａは、指紋センサー１上で指Ｆをスライドさせることにより指紋ＦＰを読み取るスライド型の指紋読取装置である。具体的には、図４に示すように、指紋読取装置１１０Ａ上に指Ｆを置き、矢印Ｘ方向に指走査することにより指紋の読み取りを行う。この際、指走査する指Ｆの第一関節部Ｊ１を指紋センサー１の中心位置Ｏに位置決めして指Ｆを走査する必要があることは前述した通りである。尚、図５は読み取り終了状態を示している。
【００２３】
第１実施例に係る指紋読取装置１１０Ａは、図５及び図６に示すように、指紋センサー１、前方指走査面２、後方指走査面３、ガイド側壁４、及びガイド側壁５等により構成されている。
【００２４】
前方指走査面２及び後方指走査面３は、指紋ＦＰの読み取り時に指Ｆが走査する走査面を構成する。前方指走査面２は、指Ｆの走査方向（矢印Ｘ方向）に対し指紋センサー１の前方位置に配置されている。また後方指走査面３は、指Ｆの走査方向（矢印Ｘ方向）に対し指紋センサー１の後方位置に配置されている。
【００２５】
ガイド側壁４，５は、指Ｆの走査面となる前方指走査面２及び後方指走査面３の両側位置に配設されている。このガイド側壁４，５の上面の高さは本体部１０１の表面と面一となるよう設定されている。
【００２６】
これに対し、前記した前方指走査面２及び後方指走査面３は指Ｆの走査を円滑に行うために断面視で下に凸となる湾曲形状とされている（図７参照）。このため、相対的に、前方指走査面２及び後方指走査面３の表面の高さは、ガイド側壁４，５の上面の高さに対して低くなっている。よって、指Ｆを走査面（前方指走査面２及び後方指走査面３）上で指走査する際、指Ｆの両側はガイド側壁４，５にガイドされるため、円滑な指走査を行うことができる。
【００２７】
ここで、図６及び図７を用い、本実施例に係る指紋読取装置１１０Ａにおける指紋センサー１の配設構造に注目し、以下説明する。本実施例に係る指紋読取装置１１０Ａは、指Ｆの走査面に対して指紋センサー１を上下方向（Ｚ１，Ｚ２方向）に移動可能な構成としたものである。
【００２８】
指紋センサー１の下端部（各指走査面２，３の裏側）には、指紋センサー１を移動させる可動機構として機能する弾性手段が設けられている。この弾性手段により、指紋センサー１は上方（図中、矢印Ｚ１方向）に向け弾性付勢され、また押圧されることにより走査面に向けて（矢印Ｚ２方向に向けて）移動する。弾性手段としてはスプリング、プラスチック、ゴム等の適用が考えられ、またリンク機構等と組み合わせて使用することも考えられる。尚、本実施例では、構造の簡単化を図るためにコイル状のバネ７のみを用いた例を示している。
【００２９】
上記構成において、指紋センサー１は押圧されることにより、バネ７の弾性力に抗して図中Ｚ２方向に変位する。この際、指紋センサー１の先端部は、指Ｆが走査する走査面と同一の高さとなるまで押下されるよう構成されている。
【００３０】
また、押圧を解除することにより、指紋センサー１はバネ７の弾性復元力によりＺ１方向に移動して元の位置に復元する。また、押圧されてない状態において、指紋センサー１の先端部はガイド側壁４，５の上面より若干突出するよう設定されている（図７参照）。
【００３１】
このように、指紋センサー１の先端部をガイド側壁４，５の上面より突出させることにより、指紋読取装置１１０Ａに向け指Ｆを下降させる際、反らせた指の下降位置の手前側から指紋センサー１を確認することができ、指紋センサー１と第１関節Ｊ１との位置決めを行うことが可能となる。
【００３２】
更に、目視と共に指Ｆの触覚も利用し、指Ｆの腹が一対のガイド４，５に偏らずに触れるようにしながら、指Ｆを指紋読取装置１１０Ａに向け下降させると、図７に示すように指Ｆは指紋センサー１と当接接触する。この時点では、指Ｆの腹が指紋センサーに触れないようにする、よって、この時点で指Ｆの触覚により、指紋センサー１に対する指Ｆの位置を指Ｆの感触により認識することが可能となる。
【００３３】
更に指Ｆを指紋読取装置１１０Ａに向け下降させると、図７に示すように指Ｆは指紋センサー１と接触する。よって、この時点で指Ｆの触覚により、指紋センサー１に対する指Ｆの位置を指Ｆの感触により認識することが可能となる。
【００３４】
このように、本実施例に係る１１０Ａでは、指紋センサー１に対する指Ｆの第１関節Ｊ１の位置ずれを直接的に認識することができる。これにより、指紋センサー１が指Ｆにより隠れた状態であっても、第１関節Ｊ１が指紋センサー１の中心位置Ｏに位置するように調整することが可能となる。即ち、可動機構（バネ７）及び指紋センサー１は、指Ｆの第１関節Ｊ１を指紋センサー１の中心位置Ｏに位置決めさせる位置決め装置として機能する。
【００３５】
上記のように指Ｆの正しい位置が確認されると、図８に示すように第１関節Ｊ１を指紋センサー１に押し付ける。これにより、指紋センサー１は走査面（前方指走査面２と後方指走査面３とにより構成される）と同じ高さまで押下される。
【００３６】
その後、図９に示すように、第１関節Ｊ１より上の指Ｆの腹の部分を指紋センサー１に押し付けながら図中矢印Ｘ方向に一定速度で指走査することで正しい指紋ＦＰの読み取りを行うことができる。この際、前記のように指紋センサー１は走査面まで移動しているため、指Ｆの走査の邪魔になるようなことはない。
【００３７】
また本実施例に係る指紋読取装置１１０Ａでは、指紋センサー１はバネ７により常に上方（Ｚ１方向）に向け付勢されているため、指Ｆが指紋センサー１上を指走査している際、指紋センサー１は常にバネ７の弾性力により指Ｆに向け押圧されている。
【００３８】
ところで、細い指や先細の形状の指（例えば人差指は一般に先細の人が多い）の場合、或いは指のセンサーへの押し付け力の弱い子供や高齢者の場合は、指Ｆの第１関節Ｊ１を指紋センサー１の中心位置Ｏに来るように正しく置いたとしても、指走査の後半で指のセンサーへの押し付けが十分でない場合が生じる。この場合、指紋ＦＰの上側の画像が欠落或いは不十分となり、認証に失敗しやすくなる課題がある。
【００３９】
しかしながら、本実施例の場合、上記のように指紋センサー１はバネ７により常に上方に向け付勢されているため、指紋センサー１は常に指走査される指Ｆに対して押し付けられた状態となる。よって、細い指や先細の形状の指に対する指紋ＦＰの読み取り、また子供や高齢者に対する指紋ＦＰの読み取り時においても、正しい画像取得が得られるため、認証率の更なる改善を図ることができる。
【００４０】
本実施例では、第１関節Ｊ１を指紋センサー１に当接させる場合、反らせた指の下降位置の手前側から指紋センサー１を確認する形態を示した。しかしながら、指Ｆを反らせながら後方指走査面３上を指走査方向と反対方向に指をスライドさせる形態にしてもよい。この形態においては、ユーザは目視と共に指Ｆの触覚も利用して指Ｆの腹が一対のガイド側壁４，５に偏らずに触れるようにしながら、第１関節Ｊ１を後方指走査面３から突出した指紋センサー１に当接させ（この時点では、指Ｆの腹が指紋センサー１に触れないようにする）、指Ｆを移動させて正しい位置に位置調整した後、第１関節Ｊ１を指紋センサー１に押し付けるようにすればよい。これによって、上述と同様の効果が得られる。
【第２実施例】
【００４１】
図１０〜図１３は、第２実施例に係る指紋読取装置１１０Ｂを示している。前記した第１実施例に係る指紋読取装置１１０Ａでは、指紋センサー１のみを指Ｆの走査面（前方指走査面２及び後方指走査面３により構成される）に対して上下動（Ｚ１，Ｚ２方向に移動）するよう構成した。
【００４２】
これに対して本実施例に係る指紋読取装置１１０Ｂは、指紋センサー１に加えて前方指走査面３２も上下動するよう構成したものである（以下、本実施例の前方指走査面２を可動前方指走査面３２という）。
【００４３】
可動前方指走査面３２の下端部には、可動前方指走査面３２を移動させる指走査面可動機構として機能する弾性手段が設けられている。この弾性手段により、可動前方指走査面３２は上方（図中、矢印Ｚ１方向）に向け弾性付勢され、また押圧されることにより後方指走査面３と同じ高さ方向に（矢印Ｚ２方向に向けて）移動する。
【００４４】
この弾性手段としてはスプリング、プラスチック、ゴム等の適用が考えられ、またリンク機構等と組み合わせて使用することも考えられる。本実施例では、構造の簡単化を図るためにコイル状のバネ８のみを用いた例を示している。
【００４５】
また、指紋センサー１の先端部及び可動前方指走査面３２の表面は、後方指走査面３の高さとなるまで押下されるよう構成されている。即ち、指走査されていない状態では、指紋センサー１及び可動前方指走査面３２は、後方指走査面３に対して突出した状態となっている。尚、指紋センサー１及び指紋センサー１を移動させるためのセンサー可動機構は、第７実施例で指紋センサー１を可動させる構成と同一であるため、その説明は省略する。
【００４６】
上記構成において、指紋センサー１及び可動前方指走査面３２は、押圧されることによりバネ７，８の弾性力に抗して図中Ｚ２方向に変位する。また、押圧を解除することにより、指紋センサー１及び可動前方指走査面３２はバネ７，８の弾性復元力によりＺ１方向に移動して元の位置（突出した位置）に復元する。
【００４７】
上記構成とされた指紋読取装置１１０Ｂにより指紋ＦＰの読み取りを行うには、図１１に示すように、先ず指Ｆを反らせながら後方指走査面３上を指走査方向と半体方向（図１１に矢印Ｙで示す方向）に指Ｆをスライドさせる。この際、目視と共に指Ｆの触覚も利用し、指Ｆの腹が一対のガイド側壁４，５に偏らずに触れるようにしながら、第１関節Ｊ１を後方指走査面３から突出した指紋センサー１に当接させる。この時点では、指Ｆの腹が指紋センサー１に触れないようにする。
【００４８】
そして、指Ｆを移動させて正しい位置に位置調整した後、反らせた指Ｆを倒すようにして指紋センサー１及び可動前方指走査面３２を押し付ける（図１２に矢印Ａで示す方向に押し付ける）。これにより、図１２に示すように、指紋センサー１及び可動前方指走査面３２は後方指走査面３と同じ高さまで押下される。
【００４９】
このようにして第１関節Ｊ１を指紋センサー１の中心位置Ｏに置くことが可能になり、その後図１３に示すように、指Ｆの腹を指紋センサー１に押し付けながら矢印Ｘ方向に一定速度で走査することで正しい指紋ＦＰの読取が行われる。この際、前記のように指紋センサー１、可動前方指走査面３２、及び後方指走査面３は同一面となっているため、指紋センサー１及び可動前方指走査面３２が指Ｆの走査の邪魔になるようなことはない。
【００５０】
これにより、指紋センサー１が指Ｆにより隠れた状態であっても、第１関節Ｊ１が指紋センサー１の中心位置Ｏに位置するように調整することが可能となる。即ち、指走査面可動機構（バネ８）及び可動前方指走査面３２と、センサー可動機構（バネ７）及び指紋センサー１は、指Ｆの第１関節Ｊ１を指紋センサー１の中心位置Ｏに位置決めさせる位置決め装置として機能する。
【００５１】
また、本実施例においても、前記した第７実施例と同様に指紋センサー１は常に指走査される指Ｆに向け押し付けられた状態となる。よって、細い指や先細の形状の指に対する指紋ＦＰの読み取り、また子供や高齢者に対する指紋ＦＰの読み取り時においても、正しい画像取得が得られるため、認証率の更なる改善を図ることができる。
【００５２】
尚、上記した実施例では指紋センサー１と可動前方指走査面３２とが独立して移動する構成例を示したが、指紋センサー１と可動前方指走査面３２とを一体化し、同時に移動するよう構成してもよい。
【第３実施例】
【００５３】
図１４〜図１７は、第３実施例に係る指紋読取装置１１０Ｃを示している。前記した第１実施例に係る指紋読取装置１１０Ａでは、指紋センサー１と可動前方指走査面３２を走査面（前方指走査面２及び後方指走査面３により構成される）に対して上下動（Ｚ１，Ｚ２方向に移動）するよう構成した。
【００５４】
これに対して本実施例に係る指紋読取装置１１０Ｃは、指紋センサー１と後方指走査面３を走査面に対して上下動するよう構成したものである（以下、本実施例の後方指走査面３を可動後方指走査面３３という）。
【００５５】
可動後方指走査面３３の下端部には、可動後方指走査面３３を移動させる指走査面可動機構として機能する弾性手段が設けられている。この弾性手段により、可動後方指走査面３３は上方（図中、矢印Ｚ１方向）に向け弾性付勢され、また押圧されることにより前方指走査面２に向けて（矢印Ｚ２方向に向けて）移動する。
【００５６】
この弾性手段としてはスプリング、プラスチック、ゴム等の適用が考えられ、またリンク機構等と組み合わせて使用することも考えられる。本実施例では、構造の簡単化を図るためにコイル状のバネ９のみを用いた例を示している。
【００５７】
また、指紋センサー１の先端部及び可動後方指走査面３３の表面は、前方指走査面２の高さとなるまで押下されるよう構成されている。即ち、指走査されていない状態では、指紋センサー１及び可動後方指走査面３３は、前方指走査面２に対して突出した状態となっている（図１５参照）。尚、指紋センサー１及び指紋センサー１を移動させるためのセンサー可動機構は、第１及び第２実施例で指紋センサー１を可動させる構成と同一であるため、その説明は省略する。
【００５８】
上記構成において、指紋センサー１及び可動後方指走査面３３は、押圧されることによりバネ７，９の弾性力に抗して図中Ｚ２方向に変位する。また、押圧を解除することにより、指紋センサー１及び可動後方指走査面３３はバネ７，９の弾性復元力によりＺ１方向に移動して元の位置に復元する。
【００５９】
上記構成とされた指紋読取装置１１０Ｃにより指紋ＦＰの読み取りを行うには、図１５に示すように、先ず指Ｆを反らせながら、指先を前方指走査面２上で指走査方向（図１６に矢印Ｘで示す方向）にスライドさせる。この際、目視と共に指Ｆの触覚も利用し、指Ｆの腹が一対のガイド側壁４，５に偏らずに触れるようにしながら、第１関節Ｊ１を前方指走査面２から突出した指紋センサー１に当接させる。
【００６０】
そして、指Ｆを移動させて正しい位置に位置調整した後、反らせた指Ｆを倒すようにして指紋センサー１及び可動後方指走査面３３を押し付ける（図１６に矢印Ｂで示す方向に押し付ける）。これにより、図１６に示すように、指紋センサー１及び可動後方指走査面３３は前方指走査面２と同じ高さまで押下される。
【００６１】
このようにして第１関節Ｊ１を指紋センサー１の中心位置Ｏに置くことが可能になり、その後図１７に示すように、指Ｆの腹を指紋センサー１に押し付けながら矢印Ｘ方向に一定速度で走査することで正しい指紋ＦＰの読取が行われる。この際、前記のように指紋センサー１、可動後方指走査面３３、及び前方指走査面２は同一面となっているため、指紋センサー１及び可動後方指走査面３３が指Ｆの走査の邪魔になるようなことはない。
【００６２】
これにより、指紋センサー１が指Ｆにより隠れた状態であっても、第１関節Ｊ１が指紋センサー１の中心位置Ｏに位置するように調整することが可能となる。即ち、指走査面可動機構（バネ９）及び可動後方指走査面３３と、センサー可動機構（バネ７）及び指紋センサー１は、指Ｆの第１関節Ｊ１を指紋センサー１の中心位置Ｏに位置決めさせる位置決め装置として機能する。
【００６３】
また、本実施例においても、前記した第１及び第２実施例と同様に指紋センサー１は常に指走査される指Ｆに向け押し付けられた状態となる。よって、細い指や先細の形状の指に対する指紋ＦＰの読み取り、また子供や高齢者に対する指紋ＦＰの読み取り時においても、正しい画像取得が得られるため、認証率の更なる改善を図ることができる。
【００６４】
尚、上記した実施例では指紋センサー１と可動後方指走査面３３とが独立して移動する構成例を示したが、指紋センサー１と可動後方指走査面３３とを一体化し、同時に移動するよう構成してもよい。
【００６５】
以上、本発明の好ましい実施例について詳述したが、本発明は上記した特定の実施形態に限定されるものではなく、特許請求の範囲に記載された本発明の要旨の範囲内において、種々の変形・変更が可能なものである。
【図１Ａ】
2010086970.tif 000003
【図１Ｂ】
2010086970.tif 000004
【図１Ｃ】
2010086970.tif 000005
【図２Ａ】
2010086970.tif 000006
【図２Ｂ】
2010086970.tif 000007
【図２Ｃ】
2010086970.tif 000008
【図３】
2010086970.tif 000009
【図４】
2010086970.tif 000010
【図５】
2010086970.tif 000011
【図６】
2010086970.tif 000012
【図７】
2010086970.tif 000013
【図８】
2010086970.tif 000014
【図９】
2010086970.tif 000015
【図１０】
2010086970.tif 000016
【図１１】
2010086970.tif 000017
【図１２】
2010086970.tif 000018
【図１３】
2010086970.tif 000019
【図１４】
2010086970.tif 000020
【図１５】
2010086970.tif 000021
【図１６】
2010086970.tif 000022
【図１７】
2010086970.tif 000023
【国際調査報告】
2010086970.tif 000024
2010086970.tif 000025
2010086970.tif 000026
2010086970.tif 000027